(57)【要約】【課題】前後両側から報知媒体を載せた透明パネルを表示することができ、広告・宣伝効果が大幅に高まり、しかも公共地域の建造物として美観や景観の点から周りの環境に好影響となる環境適応形表示装置を提供する。【解決手段】巻上げ機構１６により、透明パネル８を所定の順序に沿って格納部５から表示窓６に降ろすとともに、表示窓６に位置する透明パネル８を格納部５に引上げて、表示窓６に透明パネル８を一体づつ位置させる。偏平箱体２は表示窓６を前後両側に設けているので、偏平箱体２の前後両側から報知媒体１１を載せた透明パネル８を表示することができ、広告・宣伝効果が大幅に高まり、しかも透明パネル８が光を通して明るさを増し、報知媒体１１を良好なコントラストで輝かせて高品質の画像にするので、公共地域の建造物として美観や景観の点から環境に好影響をもたらす。【選択図】図２
2007010886.tif 000002
【特許請求の範囲】
【請求項１】
脚部を介して地上に設置されるようになっており、遮蔽板で外部から遮られた格納部と前後両側に設けられた表示窓とを上下方向に有する偏平箱体と、
この偏平箱体の前記格納部内に縦型に並列するように複数体配設されて、前記格納部と前記表示窓との間で一体づつ昇降可能に設けられた透明パネルと、
これら透明パネルに剥離可能に貼着されて、各種の情報を載せた透明フィルム状の報知媒体と、
前記透明パネルを所定の順序に沿って前記格納部から前記表示窓に降ろすとともに、前記表示窓に位置する前記透明パネルを前記格納部に引上げて、前記表示窓に前記透明パネルを一体づつ降ろす駆動装置とを備えたことを特徴とする環境適応形表示装置。
【請求項２】
前記駆動装置は、前記透明パネルに対応して設けられて、前記透明パネルに連結されたワイヤーおよびプーリーを有する巻上げ機構からなり、前記プーリーにより前記ワイヤーを巻取ることにより前記透明パネルを引上げ、前記ワイヤーを繰出すことにより前記透明パネルを降ろすようにしたことを特徴とする請求項１に記載の環境適応形表示装置。
【請求項３】
前記駆動装置は、前記透明パネルに対応して設けられて、駆動モータにより上下方向に往復旋回可能に取付けられた作動レバーからなり、前記作動レバーの往旋回により前記透明パネルを引上げ、復旋回により前記透明パネルを降ろすようにしたことを特徴とする請求項１に記載の環境適応形表示装置。
【請求項４】
前記透明パネルは、縦揺れおよび横揺れに応じて別々に作動する二種類のローラベアリングが設けられた縦型レールに沿って昇降変位することを特徴とする請求項１に記載の環境適応形表示装置。
【請求項５】
脚部を介して地上に設置されて、遮蔽板で外部から遮られた格納部と前後両側に設けられた表示窓とを上下方向に有する偏平箱体と、
この偏平箱体の前記格納部内に縦型に並列するように複数体配設されて、前記格納部と前記表示窓との間で前後一体づつ昇降可能に設けられた透明パネルと、
これら透明パネルに剥離可能に貼着されて、各種の情報を載せた透明フィルム状の報知媒体と、
前記透明パネルを所定の順序に沿って前記格納部から前記表示窓に降ろすとともに、前記表示窓に位置する前記透明パネルを前記格納部に引上げて、前記表示窓に前記透明パネルを前後一体づつ位置させる駆動装置と、
前記表示窓に前後一体づつ降りる前記透明パネルの間に存するように設けた照明部材とを備えたことを特徴とする環境適応形表示装置。
【発明の詳細な説明】
【技術分野】
【０００１】
本発明は、偏平箱体内に複数体の透明パネルを格納し、所定の順序で表示窓に移動させることにより、一連の表示を循環的に繰り返して行うことができる環境適応形表示装置に関する。
【背景技術】
【０００２】
店舗、商店および飲食店などを抱えた商業地域では、軒先をはじめ駐車場や道路沿いに、商品をはじめサービスや料理品目の情報を伝える表示装置が広告案内塔として建てられている。この種の表示装置のなかには、筐体の内部で吊持部材により吊り上げられた複数体の表示体を設けたものがある（例えば、特許文献１参照）。
この表示装置では、上部に位置する複数体の表示体のうち、最前列の表示体から所定の時間間隔で一体づつ後列側の表示体にわたって降下させて筐体の下部に滞在させている。全ての表示体が降下した時、全表示体を一斉に上部に引上げて、最初の動作から循環的に繰り返し、異なる宣伝情報を載せた表示体を表示窓により一体づつ表示している。
【特許文献１】特開平７−０２８４１６号公報
【発明の開示】
【発明が解決しようとする課題】
【０００３】
ところが、特許文献１の表示装置では、小型化が図られて全体がコンパクトな構成になってはいるものの、表示体の表示面が前面側に限られていることからも分かるように、表示窓は筐体の片側のみに設けられている。このため、表示装置を地上に設置した場合、筐体の後面側は単なる盲板となって広告・宣伝効果が半減するとともに、公共地域の建造物としては、美観や景観の点から周りの良好な環境保全に適さなくなる虞がある。
【０００４】
本発明は上記の事情を考慮してなされたもので、その目的は前後両側から報知媒体を載せた透明パネルを表示することができ、広告・宣伝効果が大幅に高まり、しかも透明パネルが光を通して明るさを増し、報知媒体を良好なコントラストで輝かせて高品質の画像にするので、公共地域の建造物として美観や景観の点から周りの環境に好影響をもたらす優れた環境適応形表示装置を提供することにある。
【課題を解決するための手段】
【０００５】
（請求項１について）
偏平箱体は、脚部を介して地上に設置されるようになっており、遮蔽板で外部から遮られた格納部と前後両側に設けられた表示窓とを上下方向に有する。透明パネルは、偏平箱体の格納部内に縦型に並列するように複数体配設されて、格納部と表示窓との間で一体づつ昇降可能に設けられている。これら透明パネルには、各種の情報を載せた透明フィルム状の報知媒体が剥離可能に貼着されている。駆動装置により、透明パネルを所定の順序に沿って格納部から表示窓に降ろすとともに、表示窓に位置する透明パネルを格納部に引上げて、表示窓に透明パネルを一体づつ降ろす。
【０００６】
偏平箱体は表示窓を前後両側に設けているので、偏平箱体の前後両側から報知媒体を載せた透明パネルを表示することができ、広告・宣伝効果が大幅に高まり、しかも透明パネルが光を通して明るさを増し、報知媒体を良好なコントラストで輝かせて高品質の画像にするので、公共地域の建造物として美観や景観の点から周りの環境に好影響をもたらす優れた効果を奏する。
また、透明フィルム状の報知媒体は、透明パネルに剥離可能に貼着されているので、報知媒体の内容を更新する場合、報知媒体を透明パネルから剥がして新内容の報知媒体を透明パネルに貼るだけで、簡単かつ迅速に更新できる利点がある。
【０００７】
（請求項２について）
駆動装置は、透明パネルに対応して設けられて、透明パネルに連結されたワイヤーおよびプーリーを有する巻上げ機構からなり、プーリーによりワイヤーを巻取ることにより透明パネルを引上げ、ワイヤーを繰出すことにより透明パネルを降ろすようにしている。
この場合、透明パネルの昇降変位を入手が容易な既存の巻上げ機構により確実に行うことができるので、安全でコスト的に有利である。
【０００８】
（請求項３について）
駆動装置は、透明パネルに対応して設けられて、駆動モータにより上下方向に往復旋回可能に取付けられた作動レバーからなり、作動レバーの往旋回により透明パネルを引上げ、復旋回により透明パネルを降ろすようにしている。
この場合、透明パネルの昇降変位を入手が容易な既存の駆動モータおよび作動レバーにより確実に行うことができるので、請求項２と同様に安全でコスト的に有利である。
【０００９】
（請求項４について）
透明パネルは、縦揺れおよび横揺れに応じて別々に作動する二種類のローラベアリングが設けられた縦型レールに沿って昇降変位する。
このため、透明パネルが縦型レールに沿って昇降変位する際、透明パネルが縦横方向にがたつかず、透明パネルに円滑な昇降動作を確保することができる。
【００１０】
（請求項５について）
偏平箱体は、脚部を介して地上に設置されるようになっており、遮蔽板で外部から遮られた格納部と前後両側に設けられた表示窓とを上下方向に有する。透明パネルは、偏平箱体の格納部内に縦型に並列するように複数体配設されて、格納部と表示窓との間で前後一体づつ昇降可能に設けられている。これら透明パネルには、各種の情報を載せた透明フィルム状の報知媒体が剥離可能に貼着されている。駆動装置により、透明パネルを所定の順序に沿って格納部から表示窓に降ろすとともに、表示窓に位置する透明パネルを格納部に引上げて、表示窓に透明パネルを前後一体づつ位置させる。照明部材は、表示窓に前後一体づつ降りる透明パネルの間に存するように設けられている。
【００１１】
照明部材を表示窓において二体の透明パネルの間に存するように設けたので、照明部材の点灯により、偏平箱体の前後両側の表示窓から異なる報知媒体を載せた二体の透明パネルを表示することができ、広告・宣伝効果が実質的に倍増する。
しかも、透明パネルが光を通して明るさを増して報知媒体を良好なコントラストで輝かせて高品質の画像にするので、請求項１と同様に公共地域の建造物として美観や景観の点から周りの環境に好影響をもたらす優れた効果を奏する。
【発明を実施するための最良の形態】
【００１２】
本発明の環境適応形表示装置では、偏平箱体は表示窓を前後両側に設けているので、偏平箱体の前後両側から各種の情報を伝える報知媒体を載せた透明パネルを表示することができ、広告・宣伝効果が大幅に高まり、しかも透明パネルが光を通して明るさを増し、報知媒体を良好なコントラストで輝かせて高品質の画像にするので、公共地域の建造物として美観や景観の点から周りの環境に好影響をもたらす。
【実施例１】
【００１３】
図１ないし図５に基づいて本発明の実施例１を説明する。
本発明に係る環境適応形表示装置１は、図１に示すように、店舗、商店、飲食店あるいは駐車場などにおける地上Ｇに設置されるもので、偏平箱体２から下方に延出された脚部３を地上Ｇに固定している。偏平箱体２は、図２に示すように、遮蔽板４により外部から遮られた格納部５と前後両側に設けられて透視ガラス６ａが嵌められた表示窓６とを上下方向に有している。図２では、表示窓６は左右両側に図示されているが、偏平箱体２を設置して視認する観点から考え、表示窓６は本来的に偏平箱体２の前後両側にあるものとする。
【００１４】
偏平箱体２の左右両側には、図３に示すように、例えばアクリル樹脂などにより矩形状に形成された透明パネル８を昇降可能に案内する断面略コ字状の縦型レール７が設けられている。縦型レール７には、縦揺れおよび横揺れに応じて別々に作動する二種類のローラベアリング９、１０が設けられ、透明パネル８にがたつきのない円滑な昇降動作を確保している。透明パネル８は、偏平箱体２の格納部５内に縦型に並列するように複数体（例えば、四体）配設されて、格納部５と表示窓６との間で一体づつ昇降可能になっている。
【００１５】
透明パネル８には、各種の情報を載せた透明フィルム状の報知媒体１１が剥離可能に貼着され、商業上の商品、料理およびサービスなどの内容を表示できるようになっている（図２参照）。透明パネル８は光透過性のため、報知媒体１１を透明パネル８の片面に貼着することにより、報知媒体１１を透明パネル８の表裏両面から視認することができる。
【００１６】
透明パネル８を昇降変位させる巻上げ機構１６は、図４および図５に示すように、駆動装置として透明パネル８に対応して設けられ、透明パネル８の先端部中央に連結されたワイヤー１３、駆動モータ１４および駆動モータ１４の回転軸１４ａに嵌着されたプーリー１５を有する。
駆動モータ１４への通電時、プーリー１５を正回転させてワイヤー１３を巻取ることにより透明パネル８を引上げ（図４の矢印Ａ参照）、プーリー１５を逆回転させてワイヤー１３を繰出すことにより透明パネル８を降ろすように設定されている（図４の矢印Ｂ参照）。
【００１７】
駆動モータ１４は、駆動モータ１４を通電制御する制御部（図示せず）に接続されており、予めプログラム化されたシーケンス動作に基づいて、透明パネル８を所定の順序に沿って格納部５から表示窓６に降ろすとともに、表示窓６に位置する透明パネル８を格納部５に引上げて、表示窓６に透明パネル８を一体づつ位置させる。
【００１８】
制御部の作動例として、最前列の透明パネル８を格納部５から表示窓６に降ろし、所定時間後に最前列の透明パネル８を格納部５に引上げて隠し、二列目の透明パネル８を表示窓６に降ろすものがある（図２参照）。そして、所定時間後、二列目の透明パネル８を格納部５に引上げ、三列目の透明パネル８を表示窓６に降ろすといった動作を最前列から最後列の透明パネル８にかけて循環的に繰り返し、全体の透明パネル８を一体づつ表示窓６に位置させ、報知媒体１１の内容を表示窓６から広告・宣伝情報として伝える。
【００１９】
この場合、最前列の透明パネル８を格納部５に引上げると同時に、二列目の透明パネル８を降ろし始め、最前列の透明パネル８の全体が格納部５に収納されると同時に、二列目の透明パネル８の全体が表示窓６の全面に位置するようにしてもよい。
【００２０】
上記構成の偏平箱体２は表示窓６を前後両側に設けているので、偏平箱体２の前後両側から報知媒体１１を載せた透明パネル８を表示することができ、広告・宣伝効果が大幅に高まる。
しかも、透明パネル８が光を通して明るさを増し、報知媒体１１を良好なコントラストで輝かせて高品質の画像にするので、公共地域の建造物として美観や景観の点から周りの環境に好影響をもたらすものである。
また、透明フィルム状の報知媒体１１は、透明パネル８に剥離可能に貼着されているので、報知媒体１１の内容を更新する場合、報知媒体１１を透明パネル８から剥がして新内容の報知媒体を透明パネル８に貼るだけで、簡単かつ迅速に更新できる利点がある。
【実施例２】
【００２１】
図６及び図７は本発明の実施例２を示す。
実施例２が実施例１と異なるところは、駆動装置に作動レバー１８を用いたことである。作動レバー１８は、偏平箱体２内で透明パネル８（図１参照）の側面部に対応して設けられた駆動モータ１９により駆動される。
すなわち、図６に示すように、作動レバー１８の一端部は、駆動モータ１９の回転軸１９ａに、ベルト１９ｂ、プーリー１９ｃおよび支軸１９ｄを介して嵌着されている。作動レバー１８の他端部には、図７に示すように、透明パネル８の先端部に形成した横長穴８ａに沿って摺動可能に嵌め込まれたピン２１を取付けている。この場合、四体の透明パネル８のそれぞれに駆動装置を設けているが、最前列にある一体の透明パネル８を代表させて駆動装置を説明した。
【００２２】
駆動モータ１９は、予めプログラム化された手順により制御部により駆動制御されるようになっており、作動レバー１８を上下方向に往復旋回可能に取付けている。この際、作動レバー１８の往旋回により透明パネル８を格納部５に引上げ（図７の矢印Ｃ参照）、復旋回により透明パネル８を表示窓６に降ろすようにしている（図７の矢印Ｄ参照）。このため、実施例２でも実施例１と同様な効果が得られる。
【実施例３】
【００２３】
図８は本発明の実施例３を示す。
実施例３が実施例１と異なるところは、照明部材として発光ダイオードなどからなるランプ２３を表示窓６に設置するとともに、透明パネル８を格納部５と表示窓６との間で前後一体づつ昇降可能に設けたことである。
【００２４】
すなわち、ランプ２３は、表示窓６において前後一体づつ位置させた透明パネル８の間に存するように設けられており、制御部のプログラムを変更することにより、透明パネル８を所定の順序に沿って格納部５から表示窓６に降ろし、表示窓６に位置する透明パネル８を格納部５に引上げて、透明パネル８を表示窓６に前後一体づつ位置させる。
【００２５】
実施例３では、表示窓６においてランプ２３を前後二体の透明パネル８の間に位置させたので、ランプ２３の点灯時、前後両側の表示窓６から異なる報知媒体１１を載せた二体の透明パネル８を表示することができ、広告・宣伝効果が実質的に倍増する。
しかも、透明パネル８が光を通して明るさを増して報知媒体１１を良好なコントラストで輝かせて高品質の画像にするので、請求項１と同様に公共地域の建造物として美観や景観の点から周りの環境に好影響をもたらす。
【００２６】
（ａ）なお、各実施例における透明パネル８の個体数は、必要に応じて所望に設定することができる。
（ｂ）透明パネル８に貼着する報知媒体１１の表示内容は、広告・宣伝に限らず、名所旧跡、地理、地域の伝達事項、時間表、イベント行事、演奏会あるいは講演会などを案内するガイド機能を有するものであってもよい。
（ｃ）透明パネル８は矩形に限らず、平行四辺形、楕円形、菱形あるいは台形など各種の形状であってもよく、その材質はアクリル樹脂に限らず、強化ガラスなど透明なものであればよい。
【００２７】
（ｄ）表示窓６と格納部５との位置関係は、各実施例とは逆に上部に表示窓６を設けて、下部に格納部５を設けるようにしてもよい。
（ｅ）透明パネル８を表示窓６と格納部５との間に昇降させる順序は、表示内容や表示状況に応じてプログラムを所望に変更することができ、前列の透明パネル８が昇り切らないうちに、後列の透明パネル８を降ろして両者が表示窓６で部分的に重複する昇降パターンに設定してもよい。この際、透明パネル８が前後列で昇降変位する時間間隔は、報知媒体１１の表示内容に応じて所望に変更することができる。
【産業上の利用可能性】
【００２８】
本発明に係る環境適応形表示装置では、偏平箱体は表示窓を前後両側に設けているので、偏平箱体の前後両側から各種の情報を伝える報知媒体を載せた透明パネルを表示することができ、広告・宣伝効果が大幅に高まり、しかも透明パネルが光を通して明るさを増し、報知媒体を良好なコントラストで輝かせて高品質の画像にするので、公共地域の建造物として美観や景観の点から周りの環境に好影響をもたらす。周りの環境を保全しながら広告・宣伝などの優れた案内機能を求める需要者の増加に伴い、化学・機械部品などの流通を介して化学・機械産業界へ広く適用することができる。
【図面の簡単な説明】
【００２９】
【図１】地上に設置した環境適応形表示装置を示す斜視図である（実施例１）。
【図２】環境適応形表示装置を示す縦断面図である（実施例１）。
【図３】（ａ）は透明パネルに取付けたローラベアリングを示す縦断面図であり、（ｂ）は透明パネルに取付けたローラベアリングを示す破断正面図である（実施例１）。
【図４】環境適応形表示装置を模式的に示す正面図である（実施例１）。
【図５】駆動モータからなる巻上げ機構を示す平面図である（実施例１）。
【図６】駆動装置を示す拡大側面図である（実施例２）。
【図７】駆動装置および透明パネルを模式的に示す正面図である（実施例２）。
【図８】環境適応形表示装置を示す縦断面図である（実施例３）。
【符号の説明】
【００３０】
１    環境適応形表示装置
２    偏平箱体
３    脚部
４    遮蔽板
５    格納部
６    表示窓
７    縦型レール
８    透明パネル
９、１０  ローラベアリング
１１  報知媒体
１３  ワイヤー
１４、１９  駆動モータ
１５  プーリー
１６  巻上げ機構（駆動装置）
１８  作動レバー（駆動装置）
２３  ランプ（照明部材）
Ｇ    地上
【図１】
2007010886.tif 000003
【図２】
2007010886.tif 000004
【図３】
2007010886.tif 000005
【図４】
2007010886.tif 000006
【図５】
2007010886.tif 000007
【図６】
2007010886.tif 000008
【図７】
2007010886.tif 000009
【図８】
2007010886.tif 000010